【手続補正書】
【提出日】令和2年7月22日(2020.7.22)
【手続補正１】
【補正対象書類名】特許請求の範囲
【補正対象項目名】全文
【補正方法】変更
【補正の内容】
【特許請求の範囲】
【請求項１】
メッセージを送信する送信側電子制御装置（１００）及び前記メッセージを受信する受信側電子制御装置（２００）で構成される通信システム（１０）の前記送信側電子制御装置（１００）であって、
複数の鍵を有する鍵テーブル部（１０１）と、
当該送信側電子制御装置と前記受信側電子制御装置との通信において同期された情報である同期情報に基づき、前記鍵テーブル部から一つの鍵を選択する鍵選択部（１０２）と、
前記メッセージを生成するメッセージ生成部（１０３）と、
前記鍵選択部で選択された鍵、前記同期情報、及び前記メッセージを用いてメッセージ認証コード（ＭＡＣ）を生成するＭＡＣ生成部（１０５）と、
前記メッセージに前記メッセージ認証コードを付与して送信する送信部（１０６）と、
を有する電子制御装置（１００）であって、
前記同期情報は、当該送信側電子制御装置及び前記受信側電子制御装置で生成されるフレッシュネス値（ＦＶ）である、
電子制御装置（１００）。
【請求項２】
前記同期情報は、当該送信側電子制御装置及び前記受信側電子制御装置で生成される時間情報である、
請求項１記載の電子制御装置（１００）。
【請求項３】
前記同期情報は、当該送信側電子制御装置から前記受信側電子制御装置に送信した使い捨てのランダムな値であるノンスである、
請求項１記載の電子制御装置（１００）。
【請求項４】
メッセージを送信する送信側電子制御装置（３００）及び前記メッセージを受信する受信側電子制御装置（４００）で構成される通信システム（３０）の前記送信側電子制御装置（３００）であって、
複数の鍵を有する鍵テーブル部（１０１）と、
当該送信側電子制御装置と前記受信側電子制御装置との通信において同期された情報である同期情報に基づき、前記鍵テーブル部から一つの鍵を選択する鍵選択部（３０２）と、
前記メッセージを生成するメッセージ生成部（１０３）と、
前記鍵選択部で選択された鍵及び前記メッセージを用いてメッセージ認証コード（ＭＡＣ）を生成するＭＡＣ生成部（３０５）と、
前記メッセージに前記メッセージ認証コードを付与して送信する送信部（１０６）と、
を有する電子制御装置（３００）であって、
当該送信側電子制御装置は車両に搭載されており、
前記同期情報は、前記車両、前記車両を構成する部品、又は前記車両に搭載されている装置を制御する情報である制御情報である、
電子制御装置（３００）。
【請求項５】
メッセージを送信する送信側電子制御装置（１００）及び前記メッセージを受信する受信側電子制御装置（２００）で構成される通信システム（１０）の前記送信側電子制御装置（１００）であって、
複数の鍵を有する鍵テーブル部（１０１）と、
当該送信側電子制御装置と前記受信側電子制御装置との通信において同期された情報である同期情報に基づき、前記鍵テーブル部から一つの鍵を選択する鍵選択部（１０２）と、
前記メッセージを生成するメッセージ生成部（１０３）と、
前記鍵選択部で選択された鍵及び前記メッセージを用いてメッセージ認証コード（ＭＡＣ）を生成するＭＡＣ生成部（１０５）と、
前記メッセージに前記メッセージ認証コードを付与して送信する送信部（１０６）と、
を有する電子制御装置（１００）であって、
前記同期情報は、当該送信側電子制御装置及び前記受信側電子制御装置で生成されるフレッシュネス値（ＦＶ）であり、
前記鍵選択部は、前記フレッシュネス値を構成する特定のビットに基づき、前記鍵テーブル部から一つの鍵を選択する、
電子制御装置（１００）。
【請求項６】
前記鍵選択部は、送信する前記メッセージの種類に応じて、使用する前記フレッシュネス値を構成する前記特定のビットを変更する、
請求項５記載の電子制御装置（１００）。
【請求項７】
前記フレッシュネス値を構成する前記特定のビットは、イグニッションＯＮの回数を示す、
請求項５記載の電子制御装置（１００）。
【請求項８】
前記鍵選択部は、当該送信側電子制御装置から送信される前記制御情報の送信頻度に基づき、前記鍵テーブル部から一つの鍵を選択する、
請求項４記載の電子制御装置（３００）。
【請求項９】
メッセージを送信する送信側電子制御装置（１００）及び前記メッセージを受信する受信側電子制御装置（２００）で構成される通信システム（１０）の前記受信側電子制御装置（２００）であって、
前記送信側電子制御装置から送信された前記メッセージ及び前記メッセージに付与されたメッセージ認証コード（ＭＡＣ）を受信する受信部（２０３）と、
複数の鍵を有する鍵テーブル部（２０１）と、
当該受信側電子制御装置と前記送信側電子制御装置との通信において同期された情報である同期情報に基づき、前記鍵テーブル部から一つの鍵を選択する鍵選択部（２０２）と、
前記鍵選択部で選択された鍵、前記同期情報、及び前記メッセージを用いて検証用メッセージ認証コード（ＭＡＣ）を生成する検証用ＭＡＣ生成部（２０５）と、
前記メッセージ認証コードと前記検証用メッセージ認証コードの同一性を検証する検証部（２０６）と、
を有する電子制御装置（２００）であって、
前記同期情報は、前記送信側電子制御装置及び当該受信側電子制御装置で生成されるフレッシュネス値（ＦＶ）である、
電子制御装置（２００）。
【請求項１０】
メッセージを送信する送信側電子制御装置（１００）及び前記メッセージを受信する受信側電子制御装置（２００）で構成される通信システム（１０）であって、
前記送信側電子制御装置及び前記受信側電子制御装置はそれぞれ、
複数の鍵を有する鍵テーブル部（１０１、２０１）と、
前記送信側電子制御装置と前記受信側電子制御装置との通信において同期された情報である同期情報に基づき、前記鍵テーブル部から一つの鍵を選択する鍵選択部（１０２、２０２）と、
を有し、
前記送信側電子制御装置は、
前記メッセージを生成するメッセージ生成部（１０３）と、
前記鍵選択部で選択された鍵、前記同期情報、及び前記メッセージを用いてメッセージ認証コード（ＭＡＣ）を生成するＭＡＣ生成部（１０５）と、
前記メッセージに前記メッセージ認証コードを付与して送信する送信部（１０６）と、
を有し、
前記受信側電子制御装置は、
前記送信側電子制御装置から送信された前記メッセージ及び前記メッセージに付与されたメッセージ認証コード（ＭＡＣ）を受信する受信部（２０３）と、
前記鍵選択部で選択された鍵、前記同期情報、及び前記メッセージを用いて検証用メッセージ認証コード（ＭＡＣ）を生成する検証用ＭＡＣ生成部（２０５）と、
前記メッセージ認証コードと前記検証用メッセージ認証コードの同一性を検証する検証部（２０６）と、
を有する通信システム（１０）であって、
前記同期情報は、前記送信側電子制御装置及び前記受信側電子制御装置で生成されるフレッシュネス値（ＦＶ）である、
通信システム（１０）。
【請求項１１】
メッセージを送信する送信側電子制御装置（１００）及び前記メッセージを受信する受信側電子制御装置（２００）で構成される通信システム（１０）の前記送信側電子制御装置（１００）で実行されるメッセージ送信方法であって、
前記送信側電子制御装置と前記受信側電子制御装置との通信において同期された情報である同期情報に基づき、複数の鍵を有する鍵テーブル部から一つの鍵を選択し、
前記メッセージを生成し、
選択された前記一つの鍵、前記同期情報、及び前記メッセージを用いてメッセージ認証コード（ＭＡＣ）を生成し、
前記メッセージに前記メッセージ認証コードを付与して送信する、
メッセージ送信方法であって、
前記同期情報は、前記送信側電子制御装置及び前記受信側電子制御装置で生成されるフレッシュネス値（ＦＶ）である、
メッセージ送信方法。
【請求項１２】
メッセージを送信する送信側電子制御装置（１００）及び前記メッセージを受信する受信側電子制御装置（２００）で構成される通信システム（１０）の前記受信側電子制御装置（２００）で実行されるメッセージ受信方法であって、
前記送信側電子制御装置から送信された前記メッセージ及び前記メッセージに付与されたメッセージ認証コード（ＭＡＣ）を受信し、
前記受信側電子制御装置と前記送信側電子制御装置との通信において同期された情報である同期情報に基づき、複数の鍵を有する鍵テーブル部から一つの鍵を選択し、
選択された前記一つの鍵、前記同期情報、及び前記メッセージを用いて検証用メッセージ認証コード（ＭＡＣ）を生成し、
前記メッセージ認証コードと前記検証用メッセージ認証コードの同一性を検証する、
メッセージ受信方法であって、
前記同期情報は、前記送信側電子制御装置及び前記受信側電子制御装置で生成されるフレッシュネス値（ＦＶ）である、
メッセージ受信方法。
【請求項１３】
メッセージを送信する送信側電子制御装置（１００）及び前記メッセージを受信する受信側電子制御装置（２００）で構成される通信システム（１０）の前記送信側電子制御装置（１００）で実行されるメッセージ送信プログラムであって、
前記送信側電子制御装置と前記受信側電子制御装置との通信において同期された情報である同期情報に基づき、複数の鍵を有する鍵テーブル部から一つの鍵を選択するステップと、
前記メッセージを生成するステップと、
選択された前記一つの鍵、前記同期情報、及び前記メッセージを用いてメッセージ認証コード（ＭＡＣ）を生成するステップと、
前記メッセージに前記メッセージ認証コードを付与して送信するステップと、
を有するコンピュータにて実行可能なメッセージ送信プログラムであって、
前記同期情報は、前記送信側電子制御装置及び前記受信側電子制御装置で生成されるフレッシュネス値（ＦＶ）である、
メッセージ送信プログラム。
【請求項１４】
メッセージを送信する送信側電子制御装置（１００）及び前記メッセージを受信する受信側電子制御装置（２００）で構成される通信システム（１０）の前記受信側電子制御装置（２００）で実行されるメッセージ受信プログラムであって、
前記送信側電子制御装置から送信された前記メッセージ及び前記メッセージに付与されたメッセージ認証コード（ＭＡＣ）を受信するステップと、
前記受信側電子制御装置と前記送信側電子制御装置との通信において同期された情報である同期情報に基づき、複数の鍵を有する鍵テーブル部から一つの鍵を選択するステップと、
選択された前記一つの鍵、前記同期情報、及び前記メッセージを用いて検証用メッセージ認証コード（ＭＡＣ）を生成するステップと、
前記メッセージ認証コードと前記検証用メッセージ認証コードの同一性を検証するステップと、
を有するコンピュータにて実行可能なメッセージ受信プログラムであって、
前記同期情報は、前記送信側電子制御装置及び前記受信側電子制御装置で生成されるフレッシュネス値（ＦＶ）である、
メッセージ受信プログラム。
【請求項１５】
メッセージを送信する送信側電子制御装置（３００）及び前記メッセージを受信する受信側電子制御装置（４００）で構成される通信システム（３０）の前記受信側電子制御装置（４００）であって、
前記送信側電子制御装置から送信された前記メッセージ及び前記メッセージに付与されたメッセージ認証コード（ＭＡＣ）を受信する受信部（４０３）と、
複数の鍵を有する鍵テーブル部（２０１）と、
当該受信側電子制御装置と前記送信側電子制御装置との通信において同期された情報である同期情報に基づき、前記鍵テーブル部から一つの鍵を選択する鍵選択部（４０２）と、
前記鍵選択部で選択された鍵及び前記メッセージを用いて検証用メッセージ認証コード（ＭＡＣ）を生成する検証用ＭＡＣ生成部（４０５）と、
前記メッセージ認証コードと前記検証用メッセージ認証コードの同一性を検証する検証部（２０６）と、
を有する電子制御装置（４００）であって、
前記送信側電子制御装置は車両に搭載されており、
前記同期情報は、前記車両、前記車両を構成する部品、又は前記車両に搭載されている装置を制御する情報である制御情報である、
電子制御装置（４００）。
【請求項１６】
メッセージを送信する送信側電子制御装置（３００）及び前記メッセージを受信する受信側電子制御装置（４００）で構成される通信システム（３０）であって、
前記送信側電子制御装置及び前記受信側電子制御装置はそれぞれ、
複数の鍵を有する鍵テーブル部（１０１、２０１）と、
前記送信側電子制御装置と前記受信側電子制御装置との通信において同期された情報である同期情報に基づき、前記鍵テーブル部から一つの鍵を選択する鍵選択部（３０２、４０２）と、
を有し、
前記送信側電子制御装置は、
前記メッセージを生成するメッセージ生成部（１０３）と、
前記鍵選択部で選択された鍵及び前記メッセージを用いてメッセージ認証コード（ＭＡＣ）を生成するＭＡＣ生成部（３０５）と、
前記メッセージに前記メッセージ認証コードを付与して送信する送信部（１０６）と、
を有し、
前記受信側電子制御装置は、
前記送信側電子制御装置から送信された前記メッセージ及び前記メッセージに付与されたメッセージ認証コード（ＭＡＣ）を受信する受信部（４０３）と、
前記鍵選択部で選択された鍵及び前記メッセージを用いて検証用メッセージ認証コード（ＭＡＣ）を生成する検証用ＭＡＣ生成部（４０５）と、
前記メッセージ認証コードと前記検証用メッセージ認証コードの同一性を検証する検証部（２０６）と、
を有する通信システム（３０）であって、
前記送信側電子制御装置は車両に搭載されており、
前記同期情報は、前記車両、前記車両を構成する部品、又は前記車両に搭載されている装置を制御する情報である制御情報である、
通信システム（３０）。
【請求項１７】
メッセージを送信する送信側電子制御装置（３００）及び前記メッセージを受信する受信側電子制御装置（４００）で構成される通信システム（３０）で用いられる鍵選択装置（１１、２１）であって、
複数の鍵を有する鍵テーブル部（１０１、２０１）と、
前記送信側電子制御装置と前記受信側電子制御装置との通信において同期された情報である同期情報に基づき、前記鍵テーブル部から一つの鍵を選択する鍵選択部（３０２、４０２）と、
前記鍵選択部で選択された前記一つの鍵を出力する出力部と、
を有する鍵選択装置（１１、２１）であって、
前記送信側電子制御装置は車両に搭載されており、
前記同期情報は、前記車両、前記車両を構成する部品、又は前記車両に搭載されている装置を制御する情報である制御情報である、
鍵選択装置（１１、２１）。
【請求項１８】
メッセージを送信する送信側電子制御装置（３００）及び前記メッセージを受信する受信側電子制御装置（４００）で構成される通信システム（３０）の前記送信側電子制御装置（３００）で実行されるメッセージ送信方法あって、
前記送信側電子制御装置と前記受信側電子制御装置との通信において同期された情報である同期情報に基づき、複数の鍵を有する鍵テーブル部から一つの鍵を選択し、
前記メッセージを生成し、
選択された前記一つの鍵及び前記メッセージを用いてメッセージ認証コード（ＭＡＣ）を生成し、
前記メッセージに前記メッセージ認証コードを付与して送信する、
メッセージ送信方法であって、
前記送信側電子制御装置は車両に搭載されており、
前記同期情報は、前記車両、前記車両を構成する部品、又は前記車両に搭載されている装置を制御する情報である制御情報である、
メッセージ送信方法。
【請求項１９】
メッセージを送信する送信側電子制御装置（３００）及び前記メッセージを受信する受信側電子制御装置（４００）で構成される通信システム（３０）の前記受信側電子制御装置（４００）で実行されるメッセージ受信方法であって、
前記送信側電子制御装置から送信された前記メッセージ及び前記メッセージに付与されたメッセージ認証コード（ＭＡＣ）を受信し、
前記受信側電子制御装置と前記送信側電子制御装置との通信において同期された情報である同期情報に基づき、複数の鍵を有する鍵テーブル部から一つの鍵を選択し、
選択された前記一つの鍵及び前記メッセージを用いて検証用メッセージ認証コード（ＭＡＣ）を生成し、
前記メッセージ認証コードと前記検証用メッセージ認証コードの同一性を検証する、
メッセージ受信方法であって、
前記送信側電子制御装置は車両に搭載されており、
前記同期情報は、前記車両、前記車両を構成する部品、又は前記車両に搭載されている装置を制御する情報である制御情報である、
メッセージ受信方法。
【請求項２０】
メッセージを送信する送信側電子制御装置（３００）及び前記メッセージを受信する受信側電子制御装置（４００）で構成される通信システム（３０）で用いられる鍵選択方法であって、
前記送信側電子制御装置と前記受信側電子制御装置との通信において同期された情報である同期情報に基づき、複数の鍵を有する前記鍵テーブル部から一つの鍵を選択し、
選択された前記一つの鍵を出力する、
鍵選択方法であって、
前記送信側電子制御装置は車両に搭載されており、
前記同期情報は、前記車両、前記車両を構成する部品、又は前記車両に搭載されている装置を制御する情報である制御情報である、
鍵選択方法。
【請求項２１】
メッセージを送信する送信側電子制御装置（３００）及び前記メッセージを受信する受信側電子制御装置（４００）で構成される通信システム（３０）の前記送信側電子制御装置（３００）で実行されるメッセージ送信プログラムであって、
前記送信側電子制御装置と前記受信側電子制御装置との通信において同期された情報である同期情報に基づき、複数の鍵を有する鍵テーブル部から一つの鍵を選択するステップと、
前記メッセージを生成するステップと、
選択された前記一つの鍵及び前記メッセージを用いてメッセージ認証コード（ＭＡＣ）を生成するステップと、
前記メッセージに前記メッセージ認証コードを付与して送信するステップと、
を有するコンピュータにて実行可能なメッセージ送信プログラムであって、
前記送信側電子制御装置は車両に搭載されており、
前記同期情報は、前記車両、前記車両を構成する部品、又は前記車両に搭載されている装置を制御する情報である制御情報である、
メッセージ送信プログラム。
【請求項２２】
メッセージを送信する送信側電子制御装置（３００）及び前記メッセージを受信する受信側電子制御装置（４００）で構成される通信システム（３０）の前記受信側電子制御装置（４００）で実行されるメッセージ受信プログラムであって、
前記送信側電子制御装置から送信された前記メッセージ及び前記メッセージに付与されたメッセージ認証コード（ＭＡＣ）を受信するステップと、
前記受信側電子制御装置と前記送信側電子制御装置との通信において同期された情報である同期情報に基づき、複数の鍵を有する鍵テーブル部から一つの鍵を選択するステップと、
選択された前記一つの鍵及び前記メッセージを用いて検証用メッセージ認証コード（ＭＡＣ）を生成するステップと、
前記メッセージ認証コードと前記検証用メッセージ認証コードの同一性を検証するステップと、
を有するコンピュータにて実行可能なメッセージ受信プログラムであって、
前記送信側電子制御装置は車両に搭載されており、
前記同期情報は、前記車両、前記車両を構成する部品、又は前記車両に搭載されている装置を制御する情報である制御情報である、
メッセージ受信プログラム。
【請求項２３】
メッセージを送信する送信側電子制御装置（３００）及び前記メッセージを受信する受信側電子制御装置（４００）で構成される通信システム（３０）で用いられる鍵選択プログラムであって、
前記送信側電子制御装置と前記受信側電子制御装置との通信において同期された情報である同期情報に基づき、複数の鍵を有する前記鍵テーブル部から一つの鍵を選択するステップと、
選択された前記一つの鍵を出力するステップと、
を有するコンピュータにて実行可能な鍵選択プログラムであって、
前記送信側電子制御装置は車両に搭載されており、
前記同期情報は、前記車両、前記車両を構成する部品、又は前記車両に搭載されている装置を制御する情報である制御情報である、
鍵選択プログラム。
【請求項２４】
暗号化メッセージを送信する送信側電子制御装置（５００）及び前記暗号化メッセージを受信する受信側電子制御装置（６００）で構成される通信システム（５０）の前記送信側電子制御装置（５００）であって、
複数の鍵を有する鍵テーブル部（１０１）と、
当該送信側電子制御装置と前記受信側電子制御装置との通信において同期された情報である同期情報に基づき、前記鍵テーブル部から一つの鍵を選択する鍵選択部（１０２）と、
メッセージを生成するメッセージ生成部（１０３）と、
前記鍵選択部で選択された鍵及び前記メッセージを用いて前記暗号化メッセージを生成する暗号化部（５０２）と、
前記暗号化メッセージを送信する送信部（１０６）と、
を有する電子制御装置（５００）であって、
当該送信側電子制御装置は車両に搭載されており、
前記同期情報は、前記車両、前記車両を構成する部品、又は前記車両に搭載されている装置を制御する情報である制御情報である、
電子制御装置（５００）。
【請求項２５】
暗号化メッセージを送信する送信側電子制御装置（５００）及び前記暗号化メッセージを受信する受信側電子制御装置（６００）で構成される通信システム（５０）の前記受信側電子制御装置（６００）であって、
前記暗号化メッセージを受信する受信部（２０３）と、
複数の鍵を有する鍵テーブル部（２０１）と、
当該受信側電子制御装置と前記送信側電子制御装置との通信において同期された情報である同期情報に基づき、前記鍵テーブル部から一つの鍵を選択する鍵選択部（２０２）と、
前記鍵選択部で選択された鍵を用いて前記暗号化メッセージを復号する復号部（６０１）と、
を有する電子制御装置（６００）であって、
前記送信側電子制御装置は車両に搭載されており、
前記同期情報は、前記車両、前記車両を構成する部品、又は前記車両に搭載されている装置を制御する情報である制御情報である、
電子制御装置（６００）。
【請求項２６】
メッセージを送信する送信側電子制御装置（１００）及び前記メッセージを受信する受信側電子制御装置（２００）で構成される通信システム（１０）の前記受信側電子制御装置（２００）であって、
前記送信側電子制御装置から送信された前記メッセージ及び前記メッセージに付与されたメッセージ認証コード（ＭＡＣ）を受信する受信部（２０３）と、
複数の鍵を有する鍵テーブル部（２０１）と、
当該受信側電子制御装置と前記送信側電子制御装置との通信において同期された情報である同期情報に基づき、前記鍵テーブル部から一つの鍵を選択する鍵選択部（２０２）と、
前記鍵選択部で選択された鍵及び前記メッセージを用いて検証用メッセージ認証コード（ＭＡＣ）を生成する検証用ＭＡＣ生成部（２０５）と、
前記メッセージ認証コードと前記検証用メッセージ認証コードの同一性を検証する検証部（２０６）と、
を有する電子制御装置（２００）であって、
前記同期情報は、前記送信側電子制御装置及び当該受信側電子制御装置で生成されるフレッシュネス値（ＦＶ）であり、
前記鍵選択部は、前記フレッシュネス値を構成する特定のビットに基づき、前記鍵テーブル部から一つの鍵を選択する、
電子制御装置（２００）。
【請求項２７】
メッセージを送信する送信側電子制御装置（１００）及び前記メッセージを受信する受信側電子制御装置（２００）で構成される通信システム（１０）であって、
前記送信側電子制御装置及び前記受信側電子制御装置はそれぞれ、
複数の鍵を有する鍵テーブル部（１０１、２０１）と、
前記送信側電子制御装置と前記受信側電子制御装置との通信において同期された情報である同期情報に基づき、前記鍵テーブル部から一つの鍵を選択する鍵選択部（１０２、２０２）と、
を有し、
前記送信側電子制御装置は、
前記メッセージを生成するメッセージ生成部（１０３）と、
前記鍵選択部で選択された鍵及び前記メッセージを用いてメッセージ認証コード（ＭＡＣ）を生成するＭＡＣ生成部（１０５）と、
前記メッセージに前記メッセージ認証コードを付与して送信する送信部（１０６）と、
を有し、
前記受信側電子制御装置は、
前記送信側電子制御装置から送信された前記メッセージ及び前記メッセージに付与されたメッセージ認証コード（ＭＡＣ）を受信する受信部（２０３）と、
前記鍵選択部で選択された鍵及び前記メッセージを用いて検証用メッセージ認証コード（ＭＡＣ）を生成する検証用ＭＡＣ生成部（２０５）と、
前記メッセージ認証コードと前記検証用メッセージ認証コードの同一性を検証する検証部（２０６）と、
を有する通信システム（１０）であって、
前記同期情報は、前記送信側電子制御装置及び前記受信側電子制御装置で生成されるフレッシュネス値（ＦＶ）であり、
前記鍵選択部は、前記フレッシュネス値を構成する特定のビットに基づき、前記鍵テーブル部から一つの鍵を選択する、
通信システム（１０）。
【請求項２８】
メッセージを送信する送信側電子制御装置（１００）及び前記メッセージを受信する受信側電子制御装置（２００）で構成される通信システム（１０）で用いられる鍵選択装置（１１、２１）であって、
複数の鍵を有する鍵テーブル部（１０１、２０１）と、
前記送信側電子制御装置と前記受信側電子制御装置との通信において同期された情報である同期情報に基づき、前記鍵テーブル部から一つの鍵を選択する鍵選択部（１０２、２０２）と、
前記鍵選択部で選択された前記一つの鍵を出力する出力部と、
を有する鍵選択装置（１１、２１）であって、
前記同期情報は、前記送信側電子制御装置及び前記受信側電子制御装置で生成されるフレッシュネス値（ＦＶ）であり、
前記鍵選択部は、前記フレッシュネス値を構成する特定のビットに基づき、前記鍵テーブル部から一つの鍵を選択する、
鍵選択装置（１１、２１）。
【請求項２９】
メッセージを送信する送信側電子制御装置（１００）及び前記メッセージを受信する受信側電子制御装置（２００）で構成される通信システム（１０）の前記送信側電子制御装置（１００）で実行されるメッセージ送信方法あって、
前記送信側電子制御装置と前記受信側電子制御装置との通信において同期された情報である同期情報に基づき、複数の鍵を有する鍵テーブル部から一つの鍵を選択し、
前記メッセージを生成し、
選択された前記一つの鍵及び前記メッセージを用いてメッセージ認証コード（ＭＡＣ）を生成し、
前記メッセージに前記メッセージ認証コードを付与して送信する、
メッセージ送信方法であって、
前記同期情報は、前記送信側電子制御装置及び前記受信側電子制御装置で生成されるフレッシュネス値（ＦＶ）であり、
前記鍵の選択は、前記フレッシュネス値を構成する特定のビットに基づき、前記鍵テーブル部から一つの鍵を選択する、
メッセージ送信方法。
【請求項３０】
メッセージを送信する送信側電子制御装置（１００）及び前記メッセージを受信する受信側電子制御装置（２００）で構成される通信システム（１０）の前記受信側電子制御装置（２００）で実行されるメッセージ受信方法であって、
前記送信側電子制御装置から送信された前記メッセージ及び前記メッセージに付与されたメッセージ認証コード（ＭＡＣ）を受信し、
前記受信側電子制御装置と前記送信側電子制御装置との通信において同期された情報である同期情報に基づき、複数の鍵を有する鍵テーブル部から一つの鍵を選択し、
選択された前記一つの鍵及び前記メッセージを用いて検証用メッセージ認証コード（ＭＡＣ）を生成し、
前記メッセージ認証コードと前記検証用メッセージ認証コードの同一性を検証する、
メッセージ受信方法であって、
前記同期情報は、前記送信側電子制御装置及び前記受信側電子制御装置で生成されるフレッシュネス値（ＦＶ）であり、
前記鍵の選択は、前記フレッシュネス値を構成する特定のビットに基づき、前記鍵テーブル部から一つの鍵を選択する、
メッセージ受信方法。
【請求項３１】
メッセージを送信する送信側電子制御装置（１００）及び前記メッセージを受信する受信側電子制御装置（２００）で構成される通信システム（１０）で用いられる鍵選択方法であって、
前記送信側電子制御装置と前記受信側電子制御装置との通信において同期された情報である同期情報に基づき、複数の鍵を有する前記鍵テーブル部から一つの鍵を選択し、
選択された前記一つの鍵を出力する、
鍵選択方法であって、
前記同期情報は、前記送信側電子制御装置及び前記受信側電子制御装置で生成されるフレッシュネス値（ＦＶ）であり、
前記鍵の選択は、前記フレッシュネス値を構成する特定のビットに基づき、前記鍵テーブル部から一つの鍵を選択する、
鍵選択方法。
【請求項３２】
メッセージを送信する送信側電子制御装置（１００）及び前記メッセージを受信する受信側電子制御装置（２００）で構成される通信システム（１０）の前記送信側電子制御装置（１００）で実行されるメッセージ送信プログラムであって、
前記送信側電子制御装置と前記受信側電子制御装置との通信において同期された情報である同期情報に基づき、複数の鍵を有する鍵テーブル部から一つの鍵を選択するステップと、
前記メッセージを生成するステップと、
選択された前記一つの鍵及び前記メッセージを用いてメッセージ認証コード（ＭＡＣ）を生成するステップと、
前記メッセージに前記メッセージ認証コードを付与して送信するステップと、
を有するコンピュータにて実行可能なメッセージ送信プログラムであって、
前記同期情報は、前記送信側電子制御装置及び前記受信側電子制御装置で生成されるフレッシュネス値（ＦＶ）であり、
前記鍵の選択は、前記フレッシュネス値を構成する特定のビットに基づき、前記鍵テーブル部から一つの鍵を選択する、
メッセージ送信プログラム。
【請求項３３】
メッセージを送信する送信側電子制御装置（１００）及び前記メッセージを受信する受信側電子制御装置（２００）で構成される通信システム（１０）の前記受信側電子制御装置（２００）で実行されるメッセージ受信プログラムであって、
前記送信側電子制御装置から送信された前記メッセージ及び前記メッセージに付与されたメッセージ認証コード（ＭＡＣ）を受信するステップと、
前記受信側電子制御装置と前記送信側電子制御装置との通信において同期された情報である同期情報に基づき、複数の鍵を有する鍵テーブル部から一つの鍵を選択するステップと、
選択された前記一つの鍵及び前記メッセージを用いて検証用メッセージ認証コード（ＭＡＣ）を生成するステップと、
前記メッセージ認証コードと前記検証用メッセージ認証コードの同一性を検証するステップと、
を有するコンピュータにて実行可能なメッセージ受信プログラムであって、
前記同期情報は、前記送信側電子制御装置及び前記受信側電子制御装置で生成されるフレッシュネス値（ＦＶ）であり、
前記鍵の選択は、前記フレッシュネス値を構成する特定のビットに基づき、前記鍵テーブル部から一つの鍵を選択する、
メッセージ受信プログラム。
【請求項３４】
メッセージを送信する送信側電子制御装置（１００）及び前記メッセージを受信する受信側電子制御装置（２００）で構成される通信システム（１０）で用いられる鍵選択プログラムであって、
前記送信側電子制御装置と前記受信側電子制御装置との通信において同期された情報である同期情報に基づき、複数の鍵を有する前記鍵テーブル部から一つの鍵を選択するステップと、
選択された前記一つの鍵を出力するステップと、
を有するコンピュータにて実行可能な鍵選択プログラムであって、
前記同期情報は、前記送信側電子制御装置及び前記受信側電子制御装置で生成されるフレッシュネス値（ＦＶ）であり、
前記鍵の選択は、前記フレッシュネス値を構成する特定のビットに基づき、前記鍵テーブル部から一つの鍵を選択する、
鍵選択プログラム。
【請求項３５】
暗号化メッセージを送信する送信側電子制御装置（５００）及び前記暗号化メッセージを受信する受信側電子制御装置（６００）で構成される通信システム（５０）の前記送信側電子制御装置（５００）であって、
複数の鍵を有する鍵テーブル部（１０１）と、
当該送信側電子制御装置と前記受信側電子制御装置との通信において同期された情報である同期情報に基づき、前記鍵テーブル部から一つの鍵を選択する鍵選択部（１０２）と、
メッセージを生成するメッセージ生成部（１０３）と、
前記鍵選択部で選択された鍵及び前記メッセージを用いて前記暗号化メッセージを生成する暗号化部（５０２）と、
前記暗号化メッセージを送信する送信部（１０６）と、
を有する電子制御装置（５００）であって、
前記同期情報は、当該送信側電子制御装置及び前記受信側電子制御装置で生成されるフレッシュネス値（ＦＶ）であり、
前記鍵選択部は、前記フレッシュネス値を構成する特定のビットに基づき、前記鍵テーブル部から一つの鍵を選択する、
電子制御装置（５００）。
【請求項３６】
暗号化メッセージを送信する送信側電子制御装置（５００）及び前記暗号化メッセージを受信する受信側電子制御装置（６００）で構成される通信システム（５０）の前記受信側電子制御装置（６００）であって、
前記暗号化メッセージを受信する受信部（２０３）と、
複数の鍵を有する鍵テーブル部（２０１）と、
当該受信側電子制御装置と前記送信側電子制御装置との通信において同期された情報である同期情報に基づき、前記鍵テーブル部から一つの鍵を選択する鍵選択部（２０２）と、
前記鍵選択部で選択された鍵を用いて前記暗号化メッセージを復号する復号部（６０１）と、
を有する電子制御装置（６００）であって、
前記同期情報は、前記送信側電子制御装置及び当該受信側電子制御装置で生成されるフレッシュネス値（ＦＶ）であり、
前記鍵選択部は、前記フレッシュネス値を構成する特定のビットに基づき、前記鍵テーブル部から一つの鍵を選択する、
電子制御装置（６００）。